(57)【要約】【課題】アマチュアの耐衝撃性を向上する。【解決手段】光スイッチは、器体１の長手方向両端部から各々２本ずつ導入される合計４本の光ファイバ４ａ〜４ｄの間で、一端部の２本の光ファイバ４ａ，４ｂがそれぞれ他端部の２本の光ファイバ４ｃ，４ｄに光結合される２つの状態を切り換えるものであって、合成樹脂成形品の器体１に、アマチュア２１を有する電磁石装置２と、４本の光ファイバ４ａ〜４ｄの間で光結合させる関係をアマチュア２１の移動によって上述のように切り換える光路切換装置３とを収納して構成される。アマチュア２１は、各接極片２１ａ，２１ｂが何れも主体部２１ｂと同じ厚みに形成されている。而して、従来例のものに比較して接極片２１ａ，２１ｂが小型になって質量が減るため、移動時や外力の印加時においてアマチュア２１にはたらくモーメントが小さくなり、従来例に比較して耐衝撃性が向上する。【選択図】        図１
2005049645.tif 000002
【特許請求の範囲】
【請求項１】
直進移動可能なプリズムを用いて複数本の光ファイバの間の光路の組合せを切り換える光路切換装置と、前記プリズムに機械的に結合されたアマチュアを具備し該アマチュアを直進移動させる電磁石装置と、前記光路切換装置および電磁石装置を収納した器体とを備え、前記電磁石装置は、前記アマチュアと、ばね性を有した板ばねからなり前記プリズムの移動方向における前記アマチュアの両側面に沿ってそれぞれ前記プリズムの移動方向に配設され、一端が前記器体に対して定位置に固定されるとともに他端が前記アマチュアに結合されるばね素片と、両端部に磁極片を備える鉄芯と、該鉄芯を励磁するコイルとを具備し、前記アマチュアは、扁平な板状に形成されて厚み方向の一端面で前記ばね素片が結合される主体部と、一方の磁極片に対して前記アマチュアの移動方向の一面側に対向する第１の接極片と、他方の磁極片に対して前記アマチュアの移動方向の他面側に対向する第２の接極片とを有し、第１及び第２の接極片が前記主体部の両端部にそれぞれ設けられ、前記各ばね素片が前記磁極片を結ぶ方向において両接極片の中間部で前記アマチュアの主体部に結合されてなる光スイッチにおいて、前記アマチュアは、第１及び第２の接極片が前記主体部の端面において主体部の厚み方向に直交する方向へ突出し且つ主体部の厚み寸法と略等しい厚み寸法に形成されたことを特徴とする光スイッチ。
【請求項２】
直進移動可能なプリズムを用いて複数本の光ファイバの間の光路の組合せを切り換える光路切換装置と、前記プリズムに機械的に結合されたアマチュアを具備し該アマチュアを直進移動させる電磁石装置と、前記光路切換装置および電磁石装置を収納した器体とを備え、前記電磁石装置は、前記アマチュアと、ばね性を有した板ばねからなり前記プリズムの移動方向における前記アマチュアの両側面に沿ってそれぞれ前記プリズムの移動方向に配設され、一端が前記器体に対して定位置に固定されるとともに他端が前記アマチュアに結合されるばね素片と、両端部に磁極片を備える鉄芯と、該鉄芯を励磁するコイルとを具備し、前記アマチュアは、扁平な板状に形成されて厚み方向の一端面で前記ばね素片が結合される主体部と、一方の磁極片に対して前記アマチュアの移動方向の一面側に対向する第１の接極片と、他方の磁極片に対して前記アマチュアの移動方向の他面側に対向する第２の接極片とを有し、第１及び第２の接極片が前記主体部の両端部にそれぞれ設けられ、前記各ばね素片が前記磁極片を結ぶ方向において両接極片の中間部で前記アマチュアの主体部に結合されてなる光スイッチにおいて、前記アマチュアは、第１及び第２の接極片が前記主体部の両端部より前記移動方向と略直交する方向へ突出し且つ第１及び第２の接極片の中心間距離が両磁極片の中心間距離よりも小さい寸法に形成されたことを特徴とする光スイッチ。
【請求項３】
前記アマチュアは、前記主体部の中央部から第１及び第２の接極片の前記移動方向と略直交する方向へ突出して前記プリズムが取り付けられるプリズム取付台が設けられ、第１及び第２の接極片の先端が前記プリズム取付台の先端よりも突出する寸法に形成されたことを特徴とする請求項２記載の光スイッチ。
【発明の詳細な説明】
【技術分野】
【０００１】
本発明は、複数本の光ファイバの間で光路の組合せを切り換える光スイッチに関するものである。
【背景技術】
【０００２】
従来から、複数本の光ファイバにそれぞれ光結合されたコリメート用のレンズの間にプリズムを出し入れすることによって、レンズ間の光路をプリズムの有無により切り換えるようにした光スイッチが提供されている。また、この種の光スイッチとして、本出願人はアマチュアを備える電磁石装置を用い、プリズムをアマチュアに機械的に結合したものを既に提案している（特許文献１）。
【０００３】
上記特許文献１に開示された従来の光スイッチは、器体の長手方向両端部から各々２本ずつ導入される合計４本の光ファイバの間で、一端部の２本の光ファイバがそれぞれ他端部の２本の光ファイバに光結合される２つの状態を切り換えるものであって、合成樹脂成形品の器体に、アマチュアを有する電磁石装置と、４本の光ファイバの間で光結合させる関係をアマチュアの移動によって上述のように切り換える光路切換装置とを収納して構成される。つまり、アマチュアの移動により、一端部の２本の光ファイバと他端部の２本の光ファイバとの間にプリズムを挿入するか否かを切り換えるのである。
【０００４】
図８は上記従来例における電磁石装置２を示している。電磁石装置２は、合成樹脂成形品のコイル枠２２を備えるコイルブロック２ａと、アマチュア２１を備えるアマチュアブロック２ｂとにより構成される。コイル枠２２は長手方向の両端部にそれぞれ端子台２２ａを有するとともに、長手方向の中央部に磁石保持片２２ｂを有し、端子台２２ａには磁石保持片２２ｂと対向する鍔片２２ｃが形成される。各端子台２２ａに設けた鍔片２２ｃと磁石保持片２２ｂとの間の部位にはコイル２３の巻線が巻装される。
【０００５】
コイル枠２２はコ字状の鉄芯２５を保持しており、鉄芯２５の中央片（図示せず）はコイル枠２２においてコイル２３が巻装されている部位の内部を通り、鉄芯２５の両端部に設けた磁極片２５ａ，２５ｂはそれぞれ端子台２２ａから突出する。磁極片２５ａ，２５ｂの先端部は鍔片２２ｃを越えてコイル２３よりも外側に突出する。また、磁石保持片２２ｂには永久磁石２６が埋設され、永久磁石２６の一方の磁極は鉄芯２５の中央片に磁気結合され、他方の磁極は磁石保持片２２ｂの外周面に露出する。ここに、鉄芯２５の磁極片２５ａ，２５ｂが突出する向きと永久磁石２６の磁極が磁石保持片２２ｂから露出する面の向きとは同じ向きになっている。
【０００６】
一方、アマチュア２１は、図９に示すように鉄芯２５の各磁極片２５ａ，２５ｂにそれぞれ離接可能な接極片２１ａ，２１ｂを扁平な四角形板状の主体部２１ｃの両端部に備えるとともに、主体部２１ｃの一方の側面にプリズム取付台２９が連続一体に突設されている。各接極片２１ａ，２１ｂは、主体部２１ｃの長手方向の各端面において、主体部２１ｃの幅方向の互いに異なる端部から移動方向と直交する方向、すなわち、鉄芯２５の各磁極片２５ａ，２５ｂに対向するようにアマチュア２１の厚み方向（図９（ｂ）における下方）に延設されている。ただし、コイルブロック２ａの幅方向（図８（ｂ）における矢印の方向）において、一方の接極片２１ａが磁極片２５ａの一面に対向するとすれば、他方の接極片２１ｂは磁極片２５ｂの他面に対向する関係となるように接極片２１ａ，２１ｂの位置が定められている。また、接極片２１ａ，２１ｂの中心間距離ＬＡ（図９（ｂ）参照）と鉄芯２５の磁極片２５ａ，２５ｂの中心間距離ＬＢとがほぼ一致するように接極片２１ａ，２１ｂの幅寸法ｗが設定されている。プリズム取付台２９はアマチュア２１の長手方向の中央部においてばね片２７ａと交差する形で形成され、その外表面にプリズム３１が接着等により固定される。
【０００７】
アマチュア２１は板ばねからなる平衡ばね２７を介して一対の固定板２８に結合され、各固定板２８はコイルブロック２ａに設けた端子台２２ａに結合される。平衡ばね２７はアマチュア２１の各側面に対向するとともにアマチュア２１の長手方向に沿って延長された一対のばね片２７ａと、両ばね片２７ａの長手方向の両端部をそれぞれＬ字状に折曲して形成した取付片２７ｂと、両ばね片２７ａの長手方向の中央部間を連結する連結片２７ｃとを連続一体に備える形状に金属のばね材料により形成される。つまり、連結片２７ｃにおけるアマチュア２１の移動方向の各端部にそれぞればね片２７ａが連続一体に設けられる。さらに、平衡ばね２７には、両ばね片２７ａの長手方向の両端部において取付片２７ｂと直交する形で両ばね片２７ａ間を連結する橋絡片２７ｄが設けられ、平衡ばね２７に他部材を結合しない状態でもばね片２７ａが広がるのを防止してある。
【０００８】
ばね片２７ａの各端部に設けた取付片２７ｂは、それぞれ固定板２８に重ねられ固定板２８にそれぞれかしめ固定される。各固定板２８にはそれぞれ挿入片２８ａが突設され、各挿入片２８ａは端子台２２ａに設けた固定孔２２ｅに圧入されることにより固定板２８がコイル枠２２に固定される。つまり、各ばね片２７ａは連結片２７ｃによって独立して可撓となる２つの部分を有することになる。言い換えると、アマチュア２１は、一方の固定板２８と連結片２７ｃとの間を連結する両側一対のばね素片２７ａａ，２７ａｂで支持されるとともに、他方の固定板２８と連結片２７ｃとの間を連結する両側一対のばね素片２７ａｃ，２７ａｄで支持されることになり、合計４本のばね素片２７ａａ〜２７ａｄで支持されていることになる。また、連結片２７ｃは、アマチュア２１の移動方向（幅方向）における一端部が２つの分岐片２７ｆを有する二股状に形成されており、各分岐片２７ｆにそれぞればね素片２７ａｂ，２７ａｄが連続一体に設けられた形になっている。連結片２７ｃは全体としては三叉状に形成され、各片がそれぞれダボ２１ｅによってアマチュア２１に固着される。
【０００９】
而して、アマチュア２１の中央部は永久磁石２６のＮ極に近接しているからアマチュア２１がＮ極に磁化されており、コイル２３に通電して鉄芯２５の片側の磁極片２５ａをＳ極に励磁したときには、磁極片２５ａとアマチュア２１の接極片２１ａとの間に吸引力が作用するとともに、もう片側の磁極片２５ｂとアマチュア２１の接極片２１ｂとの間に反発力が作用して、アマチュア２１が図８（ｂ）における矢印のＸの向きに移動する。ここで、コイル２３への通電を停止しても永久磁石２６の磁力によってアマチュア２１の位置は保持される。一方、コイル２３の通電方向を切り換えて鉄芯２５の反対側の磁極片２５ｂをＳ極に励磁したときには、接極片２１ａと磁極片２５ａとが反発するとともに接極片２１ｂが磁極片２５ｂに吸引されてアマチュア２１が図８（ｂ）における矢印のＹの向きに移動する。この位置で通電を停止した場合も永久磁石２６の磁力によってアマチュア１の位置は保持される。このように、コイル２３への通電を制御することによって、アマチュア２１を幅方向（図８（ｂ）の矢印の方向）に平行移動させることが可能になる。
【特許文献１】特開２００３−１５０５９号公報
【発明の開示】
【発明が解決しようとする課題】
【００１０】
ところで上記従来例においては、アマチュア２１と平衡ばね２７の連結部位（連結片２７ｃ）を支点としてアマチュア２１の移動方向に平行な面内で接極片２１ａ，２１ｂに力のモーメント（以下、モーメントと略す）がはたらくため、アマチュア２１を平行移動する際、あるいは器体の外から外力が加わった際に上記モーメントにより接極片２１ａ，２１ｂに衝撃が加わって破損等の不具合が生じる虞があった。なお、このモーメントの大きさは、力の大きさが同じであれば、支点から接極片２１ａ，２１ｂの中心までの距離の自乗若しくは接極片２１ａ，２１ｂの質量に比例して大きくなるから、アマチュア２１の幅寸法（接極片２１ａ，２１ｂの中心間距離ＬＡ）あるいはアマチュア２１の重さ（接極片２１ａ，２１ｂの質量）が大きいほどモーメントも大きくなる。
【００１１】
本発明は上記上に鑑みて為されたものであり、その目的は、アマチュアの耐衝撃性を向上した光スイッチを提供することにある。
【課題を解決するための手段】
【００１２】
請求項１の発明は、上記目的を達成するために、直進移動可能なプリズムを用いて複数本の光ファイバの間の光路の組合せを切り換える光路切換装置と、前記プリズムに機械的に結合されたアマチュアを具備し該アマチュアを直進移動させる電磁石装置と、前記光路切換装置および電磁石装置を収納した器体とを備え、前記電磁石装置は、前記アマチュアと、ばね性を有した板ばねからなり前記プリズムの移動方向における前記アマチュアの両側面に沿ってそれぞれ前記プリズムの移動方向に配設され、一端が前記器体に対して定位置に固定されるとともに他端が前記アマチュアに結合されるばね素片と、両端部に磁極片を備える鉄芯と、該鉄芯を励磁するコイルとを具備し、前記アマチュアは、扁平な板状に形成されて厚み方向の一端面で前記ばね素片が結合される主体部と、一方の磁極片に対して前記アマチュアの移動方向の一面側に対向する第１の接極片と、他方の磁極片に対して前記アマチュアの移動方向の他面側に対向する第２の接極片とを有し、第１及び第２の接極片が前記主体部の両端部にそれぞれ設けられ、前記各ばね素片が前記磁極片を結ぶ方向において両接極片の中間部で前記アマチュアの主体部に結合されてなる光スイッチにおいて、前記アマチュアは、第１及び第２の接極片が前記主体部の端面において主体部の厚み方向に直交する方向へ突出し且つ主体部の厚み寸法と略等しい厚み寸法に形成されたことを特徴とする。
【００１３】
この構成によれば、従来例に比較して接極片が小型になって質量が減るため、アマチュアにはたらくモーメントを小さくして耐衝撃性が向上できる。
【００１４】
請求項２の発明は、上記目的を達成するために、直進移動可能なプリズムを用いて複数本の光ファイバの間の光路の組合せを切り換える光路切換装置と、前記プリズムに機械的に結合されたアマチュアを具備し該アマチュアを直進移動させる電磁石装置と、前記光路切換装置および電磁石装置を収納した器体とを備え、前記電磁石装置は、前記アマチュアと、ばね性を有した板ばねからなり前記プリズムの移動方向における前記アマチュアの両側面に沿ってそれぞれ前記プリズムの移動方向に配設され、一端が前記器体に対して定位置に固定されるとともに他端が前記アマチュアに結合されるばね素片と、両端部に磁極片を備える鉄芯と、該鉄芯を励磁するコイルとを具備し、前記アマチュアは、扁平な板状に形成されて厚み方向の一端面で前記ばね素片が結合される主体部と、一方の磁極片に対して前記アマチュアの移動方向の一面側に対向する第１の接極片と、他方の磁極片に対して前記アマチュアの移動方向の他面側に対向する第２の接極片とを有し、第１及び第２の接極片が前記主体部の両端部にそれぞれ設けられ、前記各ばね素片が前記磁極片を結ぶ方向において両接極片の中間部で前記アマチュアの主体部に結合されてなる光スイッチにおいて、前記アマチュアは、第１及び第２の接極片が前記主体部の両端部より前記移動方向と略直交する方向へ突出し且つ第１及び第２の接極片の中心間距離が両磁極片の中心間距離よりも小さい寸法に形成されたことを特徴とする。
【００１５】
この構成によれば、鉄芯の寸法、形状を従来のままとして接極片の幅寸法が従来よりも小さくなるから、従来例に比較して回転運動の支点から接極片の中心までの距離が短くなり、アマチュアにはたらくモーメントを小さくして耐衝撃性が向上できる。
【００１６】
請求項３の発明は、請求項２の発明において、前記アマチュアは、前記主体部の中央部から第１及び第２の接極片の前記移動方向と略直交する方向へ突出して前記プリズムが取り付けられるプリズム取付台が設けられ、第１及び第２の接極片の先端が前記プリズム取付台の先端よりも突出する寸法に形成されたことを特徴とする。
【００１７】
この構成によれば、請求項２の発明と同様にアマチュアにはたらくモーメントを小さくして耐衝撃性が向上できるとともに、磁極片との対向面積を大きくして磁気効率の向上による低消費電力化が図れる。
【発明の効果】
【００１８】
本発明によれば、従来例に比較して接極片を小型にして質量を減らしたり、あるいは、接極片の幅寸法を従来よりも小さくして回転運動の支点から接極片の中心までの距離を短くすることにより、アマチュアにはたらくモーメントを小さくして耐衝撃性が向上できるという効果がある。
【発明を実施するための最良の形態】
【００１９】
（実施形態１）
本実施形態を図１〜図４を用いて説明する。但し、従来例と共通の構成については同一の符号を付して説明を省略する。
【００２０】
本実施形態では、従来例と同様に、器体１に導入される４本の光ファイバ４ａ〜４ｄの間で、光ファイバ４ａと光ファイバ４ｄとが光結合されるとともに光ファイバ４ｂと光ファイバ４ｃとが光結合される状態と、光ファイバ４ａと光ファイバ４ｃとが光結合されるとともに光ファイバ４ｂと光ファイバ４ｄとが光結合される状態との２状態を切り換える２×２光スイッチを例示する。
【００２１】
図１及び図４に示すように、本実施形態の光スイッチは、合成樹脂成形品の器体１に、従来例と共通の構成を有する電磁石装置２と、４本の光ファイバ４ａ〜４ｄの間で光結合させる関係をアマチュア２１の移動によって上述のように切り換える光路切換装置３とを収納して構成される。
【００２２】
器体１は、ベース１１とカバー１２との２部材を結合して組み立てられ、直方体状の主収納部１ａを有し、主収納部１ａの長手方向の両側面における各一端部からそれぞれ筒状の導入部１ｂが突設された形状に形成されている。主収納部１ａおよび両導入部１ｂは、いずれもベース１１とカバー１２とを突き合わせて形成されている。ベース１１の外周面の複数箇所には組立孔１１ｂが設けられ、カバー１２の内周面より突設された組立突起（図示せず）が組立孔１１ｂに凹凸係合することによって、ベース１１とカバー１２とが結合される。主収納部１ａには電磁石装置２および光路切換装置３が収納され、導入部１ｂにはそれぞれ２本ずつの光ファイバ４ａ〜４ｄを光路切換装置３に結合するための結合部が収納される。
【００２３】
ここで、ベース１１における主収納部１ａの内側面であって、主収納部１ａの幅方向においては、主収納部１ａの長手方向の両端部に主収納部１ａの幅方向に離間した各一対の保持突起１３が保持部として突設されており、対になる保持突起１３の間に端子台２２ａを圧入して嵌合させることによって、コイルブロック２ａがベース１１に固定されるとともに、鉄芯２５のベース１１に対する位置ずれが防止される。なお、コイルブロック２ａをベース１１に固定する際に、端子ピン２４はベース１１に設けた端子孔１１ｃを通してベース１１の外部に導出される。
【００２４】
ところで、光路切換装置３は、上述したように、４本の光ファイバ４ａ〜４ｄの間の光結合関係をプリズム３１の有無によって切り換えるものであって、光路を形成する光ファイバ４ａ〜４ｄの端末を保持するために焼結合金により形成されたレンズ保持基台３４が設けられる。レンズ保持基台３４は、各２個のレンズ（コリメートレンズ）３５を保持する角柱状の一対のレンズ台３４ａを備え、両レンズ台３４ａはレンズ３５の一端面を互いに対向させるように配置される。また、両レンズ台３４ａにおいて図１における手前の側面間は連結側板３４ｂにより連結され、図１における下面間は連結下板（図示せず）により連結される。さらに、連結下板の先端縁よりも電磁石装置２に近付く向きに突出する２本の取付脚３４ｄを備え、各取付脚３４ｄの先端面にはそれぞれねじ受け穴（図示せず）が開口する。一方、電磁石装置２を構成するコイル枠２２の端子台２２ａには幅方向の両側に開放された保持溝２２ｆが設けられる。保持溝２２ｆの内部には鉄芯２５の一部が露出しており、この露出部位にはねじ受け穴に重複する挿通孔（図示せず）が貫設される。
【００２５】
上述した取付脚３４ｄは保持溝２２ｆに挿入した状態で先端面が鉄芯２５に当接するように突出寸法が設定されている。ねじ受け穴に挿通孔を位置合わせした状態で、挿通孔を通して固着ねじ（図示せず）をねじ受け穴に螺合させると鉄芯２５に対してレンズ保持基台３４を固着することができる。つまり、鉄芯２５の中央片の長手方向の両端部に２本の固着ねじを用いてレンズ保持基台３４が固着される。したがって、レンズ保持基台３４は鉄芯２５に対してぐらつきなく安定に固着される。
【００２６】
光ファイバ４ａ〜４ｄの端末部は円筒状に形成されたピグテール３６に結合され、ピグテール３６の端面がレンズ３５と接着されることによって、光ファイバ４ａ〜４ｄとレンズ３５とが光結合される。ここに、レンズ３５とピグテール３６との接着には紫外線の照射により硬化するＵＶ接着剤を用いる。レンズ台３４ａに保持された各２個のレンズ３５は互いに対向するように配置されているから、結果的に光ファイバ４ａ，４ｂと光ファイバ４ｃ，４ｄとの間で光を通過させることが可能になる。なお、レンズ３５はコリメータレンズであって、レンズ台３４ａの間での光を平行光線にするために設けられている。レンズ保持基台３４に保持されたピグテール３６および光ファイバ４ａ〜４ｄは、ベース１１とカバー１２との導入部１ｂにそれぞれ収納される。
【００２７】
上述したように、プリズム３１はアマチュア２１に結合されているから、電磁石装置２のコイル２３への通電を制御することによってアマチュア２１が移動すると、プリズム３１がアマチュア２１の移動方向に移動する。つまり、アマチュア２１の移動に伴ってプリズム３１をレンズ保持基台３４におけるレンズ台３４ａの間に挿入される位置とレンズ台３４ａの間から後退する位置との間で移動させることが可能になる。このような動作により、光ファイバ４ａと光ファイバ４ｄとが光結合されるとともに光ファイバ４ｂと光ファイバ４ｃとが光結合される状態と、光ファイバ４ａと光ファイバ４ｃとが光結合されるとともに光ファイバ４ｂと光ファイバ４ｄとが光結合される状態との２状態を切り換えることが可能になるのである。
【００２８】
次に、本発明の要旨であるアマチュア２１の構造について説明する。本実施形態におけるアマチュア２１が従来例のものと異なる点は、従来例のものでは鉄芯２５の各磁極片２５ａ，２５ｂと対向する２つの接極片２１ａ，２１ｂが主体部２１ｂの厚み方向に延設されていたのに対して、図３に示すように各接極片２１ａ，２１ｂが何れも主体部２１ｂと同じ厚みに形成されている点にあり、その他の構成は共通である。すなわち、本実施形態においては、接極片２１ａ，２１ｂの幅寸法ｗ１は従来例の幅寸法ｗと同一（ｗ１＝ｗ）としながら、その突出寸法（主体部２１ｂの厚み方向の寸法）ｈ１を従来例よりも小さくしている（ｈ１＜ｈ）。
【００２９】
而して、本実施形態のアマチュア２１は、従来例のものに比較して接極片２１ａ，２１ｂが小型になって質量が減るため、移動時や外力の印加時においてアマチュア２１にはたらくモーメントが小さくなり、従来例に比較してアマチュア２１の耐衝撃性が向上するものである。また、接極片２１ａ，２１ｂを主体部２１ｃと同じ厚み寸法にすることにより、接極片２１ａ，２１ｂが主体部２１ｃの厚み方向に延設されていた従来例に比較してアマチュア２１が容易に製造できて製造コストの削減が図れるという利点もある。
【００３０】
（実施形態２）
本実施形態はアマチュア２１の構造に特徴があり、他の構成は従来例及び実施形態１と共通であるから、共通の構成要素には同一の符号を付して図示並びに説明は省略する。
【００３１】
本実施形態におけるアマチュア２１は、図５に示すように２つの接極片２１ａ，２１ｂが主体部２１ｃの両端部より移動方向と略直交する方向（主体部２１ｃの厚み方向）へ突出し且つ接極片２１ａ，２１ｂの中心間距離ＬＡ１が両磁極片２５ａ，２５ｂの中心間距離ＬＢよりも小さい寸法に形成されている。すなわち、本実施形態におけるコイルブロック２ａは従来例及び実施形態１と同一のものを用いていることから、接極片２１ａ，２１ｂの中心間距離ＬＡ１を両磁極片２５ａ，２５ｂの中心間距離ＬＢよりも小さい寸法とするために、図５に示すように接極片２１ａ，２１ｂの幅寸法ｗ２を従来例の幅寸法ｗよりも小さく、例えば、半分（ｗ２＝ｗ／２）にしてある。
【００３２】
而して、本実施形態においては、アマチュア２１の接極片２１ａ，２１ｂの幅寸法ｗ２を従来例における幅寸法ｗよりも小さくしているため、従来例に比較して回転運動の支点から接極片２１ａ，２１ｂの中心までの距離が短くなり、アマチュア２１にはたらくモーメントを小さくして耐衝撃性が向上できるものである。尚、この幅寸法ｗ２は従来例において接極片２１ａ，２１ｂと鎖交する磁束と同等の磁束が鎖交し得る最小の面積（＝ｗ２×ｈ）が得られる程度に設定することが望ましい。また、磁束を同程度に保ったままで接極片２１ａ，２１ｂの面積を小さくすれば、磁束密度が増大して電磁石装置２におけるアマチュア２１の保持力が向上するという利点もある。
【００３３】
（実施形態３）
ところで、実施形態２では磁極片２５ａ，２５ｂと対向する接極片２１ａ，２１ｂの面積（＝ｗ２×ｈ）が従来例の面積（＝ｗ×ｈ）の半分になるから、従来例に比較して磁気効率がやや低下してしまう。
【００３４】
そこで本実施形態では、図６に示すように実施形態２と同じく接極片２１ａ，２１ｂの幅寸法ｗ２を従来例の幅寸法ｗの半分にすると同時に、接極片２１ａ，２１ｂの先端がプリズム取付台２９の先端よりも突出する寸法、具体的には接極片２１ａ，２１ｂの高さ寸法（高さ寸法）ｈ３を従来例の高さ寸法ｈの倍（ｈ３＝２×ｈ）にすることにより、磁極片２５ａ，２５ｂと対向する接極片２１ａ，２１ｂの面積（＝ｗ２×ｈ３）が従来例の面積（＝ｗ×ｈ）に等しくなるようにアマチュア２１を形成している。尚、接極片２１ａ，２１ｂの高さ寸法を大きくしたことに伴い、図７に示すように磁極片２５ａ，２５ｂ、永久磁石２６並びに固定板２８の高さ寸法（図７（ｂ）における上下方向の寸法）も従来例より大きくしてある。
【００３５】
而して、本実施形態によれば、実施形態２と同様にアマチュア２１にはたらくモーメントを小さくして耐衝撃性の向上を図りながら、磁極片２５ａ，２５ｂと対向する接極片２１ａ，２１ｂの面積を実施形態２の場合よりも大きくして従来例と同程度にすることで磁気効率の低下を防ぎ、低消費電力化を図ることができる。
【図面の簡単な説明】
【００３６】
【図１】実施形態１の分解斜視図である。
【図２】（ａ）は同上におけるアマチュアブロックの分解斜視図、（ｂ）は同上における電磁石装置の分解斜視図である。
【図３】同上におけるアマチュアを示し、（ａ）は正面図、（ｂ）は下側面図、（ｃ）は右側面図である。
【図４】同上の斜視図である。
【図５】実施形態２におけるアマチュアを示し、（ａ）は正面図、（ｂ）は下側面図、（ｃ）は右側面図である。
【図６】実施形態３におけるアマチュアを示し、（ａ）は正面図、（ｂ）は下側面図、（ｃ）は右側面図である。
【図７】（ａ）は同上におけるアマチュアブロックの分解斜視図、（ｂ）は同上における電磁石装置の分解斜視図である。
【図８】（ａ）は従来例におけるアマチュアブロックの分解斜視図、（ｂ）は従来例における電磁石装置の分解斜視図である。
【図９】従来例におけるアマチュアを示し、（ａ）は正面図、（ｂ）は下側面図、（ｃ）は右側面図である。
【符号の説明】
【００３７】
１  器体
２  電磁石装置
３  光路切換装置
４ａ〜４ｄ  光ファイバ
２１  アマチュア
２１ａ，２１ｂ  接極片
２１ｃ  主体部
２５  鉄芯
２５ａ，２５ｂ  磁極片
３１  プリズム
【図１】
2005049645.tif 000003
【図２】
2005049645.tif 000004
【図３】
2005049645.tif 000005
【図４】
2005049645.tif 000006
【図５】
2005049645.tif 000007
【図６】
2005049645.tif 000008
【図７】
2005049645.tif 000009
【図８】
2005049645.tif 000010
【図９】
2005049645.tif 000011